(57)【要約】【課題】  原稿に光を照射し、該原稿からの反射光を画像データとして読み取る画像読取装置において、簡易な構成でスキャナフレームを確実に接地できる手段を提供する。【解決手段】  本コピー・ファクシミリ複合機１００は、読取載置台１０２のシャーシ１３の外枠を構成するフレーム１４と、該フレーム１４の所定位置に組み付けられたスキャナフレーム１６と、該スキャナフレーム１６に固定されて、ＣＣＤイメージセンサ１２８により反射光Ｒを画像データに変換して読み取るスキャナユニット１２２と、該スキャナユニット１２２をシールドし、且つ前記スキャナフレーム１６と導通されたカバー１７と、所望面積の接触面１５０ａを有する膨出部１５０が形成され、該膨出部１５０の接触面１５０ａを前記スキャナフレーム１６に当接して前記フレーム１４に組み付けられることにより前記シャーシ１３の底を構成するボトムシャーシ１５とを具備してなる。【選択図】図４
2005173098.tif 000002
【特許請求の範囲】
【請求項１】
原稿に光を照射し、該原稿からの反射光を画像データとして読み取る画像読取装置において、
装置本体のシャーシの外枠を構成するフレームと、
該フレームの所定位置に固定されたスキャナフレームと、
該スキャナフレームに固定されて、光電素子により前記反射光を画像データに変換して読み取るスキャナユニットと、
該スキャナユニットをシールドし、且つ前記スキャナフレームと導通されたカバーと、
所望面積の接触面を有する膨出部が形成され、該膨出部の接触面を前記スキャナフレームに当接して前記フレームに固定されることにより前記シャーシの底を構成するボトムシャーシと、を具備してなることを特徴とする画像読取装置。
【請求項２】
前記スキャナフレームとボトムシャーシの膨出部とが固着具により固着されたことを特徴とする請求項１記載の画像読取装置。
【発明の詳細な説明】
【技術分野】
【０００１】
本発明は、スキャナ、ファクシミリ、複写機等において、フラットベッドスキャナとして用いられる画像読取装置に関する。
【背景技術】
【０００２】
スキャナ、ファクシミリ、複写機等においては、ＣＣＤ（Ｃｈａｒｇｅ  Ｃｏｕｐｌｅｄ  Ｄｅｖｉｃｅ）等の縮小光学系の読取ユニットを読取載置台に内蔵させたフラットベッドスキャナ（以下「ＦＢＳ」という。）を画像読取手段として用いるものがある。図９は、従来のコピー・ファクシミリ複合機９００の上部の外観を示す概略斜視図であるが、図に示すように、コピー・ファクシミリ複合機９００は、読み取るべき原稿を載置するプラテンガラス９０１が配設された読取載置台９０２と、該原稿をプラテンガラス９０１上に押圧して固定する原稿押えカバー９０３と、原稿の読取り開始等を入力するための操作パネル９０４とを具備してなり、図には示していないが、コピー・ファクシミリ複合機９００の本体には、記録用紙に画像を記録する画像記録部や画像を電送するための送信部、読み取った画像を記録するための記録用紙を供給する給紙カセット等が備えられている。
【０００３】
前記読取載置台９０２には、ＣＣＤ等の画像読取ユニットが内蔵されている。該画像読取ユニットは、図１０に示すように、原稿に光を照射するための光源と原稿からの反射孔をＣＣＤへ導くための反射ミラーが適宜配設されたフルレートキャリッジ９０５及びハーフレートキャリッジ９０６が、読取載置台９０２内に設けられた不図示のガイドレール上を摺動可能に設けられており、該フルレートキャリッジ９０５及びハーフレートキャリッジ９０６をプラテンガラス９０１上の原稿に対して走査して、原稿からの反射光Ｒをスキャナユニット９０７により画像信号として読み取るようになっている。
【０００４】
前記スキャナユニット９０７は、フルレートキャリッジ９０５及びハーフレートキャリッジ９０６からの反射光を収束する結像レンズ９０８と、その収束光を電気信号に変換するためのＣＣＤイメージセンサ９０９とを具備してなり、読取載置台９０２のシャーシ等（不図示）に固定されている。該スキャナユニット９０７には、一般に、ＣＣＤイメージセンサ９０９を制御するための制御基板が設けられているが、読取速度の高速化や高解像度化に伴って制御信号が高い周波数となっており、制御基板から発生する電磁波がノイズとなって、フルレートキャリッジ９０５等の他の電子部材に影響を及ぼし、画像読取装置の誤作動や画質低下の原因となるという問題がある。また、フルレートキャリッジ９０５の光源として蛍光灯が用いられることがあり、蛍光灯は輝度が高く短時間に画像読取りが可能となる点で光源として好適であるが、読取画質の安定のためには蛍光灯の輝度を安定させなければならないので、安定器としてインバータ回路（不図示）を使用する。該インバータ回路もスキャナユニット９０７の近傍に配設されることがあり、該インバータ回路から発生する電磁波も、前述と同様に、画像読取装置の誤作動や画質低下の原因となるという問題がある。
【０００５】
これに対し、スキャナユニット９０７やインバータ回路等を金属製のカバーで覆いシールドする構成が考案されている。カバーでシールドすることにより、スキャナユニット９０７やインバータ回路から発生する電磁波が遮断され、カバー外側の電子部品等に影響を与えず誤作動や画質低下を防止できるという利点がある。このようなカバーは、スキャナユニット９０７等が取り付けられるシャーシにネジ止め固定されており、金属製のネジやネジ止め部分でカバーとシャーシとが接触することにより導通状態でなって接地されている。
【０００６】
また、カバーの歪みや組付け誤差等が生じても、カバーとシャーシとの間で十分な導通を確保するために、カバーとシャーシとの間にりん青銅からなる板バネを介在させ、該板バネをカバー及びシャーシに圧接させることにより確実にカバーとシャーシとの間の導通をとる構成が考案されている（例えば、特許文献１参照）。また、カバーの縁部をシャーシ側にヘ字状に曲折し、該縁部とシャーシとをネジ止めすることによりを縁部をシャーシに直接且つ確実に接触させる構成も考案されている（例えば、特許文献２参照）。これらにより、カバーとシャーシとを十分に導通して、カバーによるシールド効果を十分に発揮させることができる。
【０００７】
【特許文献１】特開２００２−２３７９２４号公報
【特許文献２】特開２００３−７５９３８号公報
【発明の開示】
【発明が解決しようとする課題】
【０００８】
前記スキャナユニット９０７は、前記フルレートキャリッジ９０５及びハーフレートキャリッジ９０６からの反射光Ｒを読み取るものなので、フルレートキャリッジ９０５、ハーフレートキャリッジ９０６、及びスキャナユニット９０７は、反射光Ｒの光路上に位置するように位置調整されて読取載置台９０２のシャーシに組み付けられている。したがって、該シャーシは、フルレートキャリッジ９０５、ハーフレートキャリッジ９０６、及びスキャナユニット９０７の位置精度を維持し、また、光路内に塵埃等が侵入しないように防ぐ役割を担っている。
【０００９】
読取載置台９０２のシャーシは、一般に、板金をプレス加工等した複数の部材を組み付けて構成されているが、該シャーシ全体でスキャナユニット９０７等の位置精度を維持すると、各部材に所望の剛性が要求される結果、板金の厚みが厚くなって重量が増え、コストも上がる。また、各部材の組付けにおいては、プレス加工等で板金に穿設されたネジ孔にネジを螺合することで各部材を組み付ける構成では寸法精度の高い組付けを行うことは難しく、各部材の固着は溶接が好ましいところ、すべての部材を溶接固定するのでは加工コストも高くなる。これに対し、位置精度が要求されるスキャナユニット９０７の取付け部分には剛性の高いスキャナフレームを精度良く組み付け、該スキャナフレームにスキャナユニット９０７を固定する構成が考案されている。しかし、寸法精度を高くするためにはスキャナフレームの固定個所が制限されるため、スキャナフレームとシャーシの他の構成部材との接触面積が小さくなり、スキャナフレームを十分に接地できず、その結果、スキャナフレームを介して接地されている前記カバーのシールド効果が十分に発揮されないという問題が生じる。
【００１０】
本発明は、かかる課題を解決すべくなされたものであり、原稿に光を照射し、該原稿からの反射光を画像データとして読み取る画像読取装置において、簡易な構成でスキャナフレームを確実に接地できる手段を提供することを目的とする。
【課題を解決するための手段】
【００１１】
本発明は、原稿に光を照射し、該原稿からの反射光を画像データとして読み取る画像読取装置において、装置本体のシャーシの外枠を構成するフレームと、該フレームの所定位置に固定されたスキャナフレームと、該スキャナフレームに固定されて、光電素子により前記反射光を画像データに変換して読み取るスキャナユニットと、該スキャナユニットをシールドし、且つ前記スキャナフレームと導通されたカバーと、所望面積の接触面を有する膨出部が形成され、該膨出部の接触面を前記スキャナフレームに当接して前記フレームに固定されることにより前記シャーシの底を構成するボトムシャーシと、を具備してなることを特徴とする。
また、前記スキャナフレームとボトムシャーシの膨出部とは固着具により固着されることが好ましい。
【発明の効果】
【００１２】
本発明に係る画像読取装置によれば、位置精度を維持するための強度が要求されないボトムシャーシに所望面積の接触面を有する膨出部が形成することは容易であり、該膨出部がスキャナフレームに当接されることにより、簡易な構成でスキャナフレームとシャーシとの導通を十分に確保することができる。これにより、カバーを十分に接地することができ、スキャナユニット等から発生する電磁波を確実にシールドすることができる。また、前記スキャナフレームとボトムシャーシの膨出部とを固着することにより、ボトムシャーシに歪み等が生じた場合にも、スキャナフレームと膨出部とを確実に接触させることができる。
【発明を実施するための最良の形態】
【００１３】
図１は、本発明の実施の形態に係る画像読取装置であるコピー・ファクシミリ複合機１００の上部の断面を示す図である。図に示すように、該コピー・ファクシミリ複合機１００は、ＦＢＳとして機能する読取載置台（装置本体）１０１に対して、オート・ドキュメント・フィーダ（以下、「ＡＤＦ」という。）１を備えた原稿押えカバー１０２が開閉自在に取り付けられており、さらに、図には示していないが、本コピー・ファクシミリ複合機１００は、原稿の読取り開始等を入力するための操作パネル、記録用紙に画像を記録する画像記録部、画像を電送するための送信部、及び読み取った画像を記録するための記録用紙を供給する給紙カセット等の周知の構成をも具備しており、また、これら周知の構成は一例且つ任意のものである。
【００１４】
前記読取載置台１０１は、図１に示すように、略直方体の筐体１０の天面にプラテンガラス１１が配設され、該筐体１０内にＣＣＤ読取ユニット１２が内蔵されてなるものであり、プラテンガラス１１上に載置された原稿を原稿押えカバー１０２を閉じて固定し、ＣＣＤ読取ユニット１２により画像読取りを行うようになっている。一方、前記原稿押えカバー１０２には、複数枚の原稿を積重状態で担持する原稿トレイ２と、横向きＵ字状の搬送路３と、搬送後の原稿を積重状態で担持する排紙トレイ４と、原稿トレイ２上の原稿を搬送路３へ送り込むピックアップローラ５及び給紙ローラ６と、搬送路３において原稿をニップして搬送する搬送ローラ７と、搬送路３の出口付近に設けられた排紙ローラ８と、読取位置Ｐ２において原稿の画像読取りを行うＣＩＳ読取りユニット９とからなるＡＤＦ１が装備されている。該ＡＤＦ１によれば、原稿トレイ２から搬送路３へ繰り込まれた原稿は、横向きＵ字状の搬送路３に沿って上方から下方へＵターンするように反転して読取位置Ｐ１に至り、該読取位置Ｐ１を通過する際に前記ＣＣＤ読取ユニット１２により原稿の表面の画像が読み取られ、更に搬送路３を搬送されて読取位置Ｐ２を通過する際に密着形イメージセンサ（Ｃｏｎｔａｃｔ  Ｉｍａｇｅ  Ｓｅｎｓｏｒ、以下「ＣＩＳ」という。）を具備してなるＣＩＳ読取ユニット９により原稿の裏面の画像が読み取られ、その後、原稿トレイ２の下方の排紙トレイ４へ排出されるようになっている。なお、本コピー・ファクシミリ複合機１００においてＡＤＦ１は任意の構成である。
【００１５】
ＣＣＤ読取ユニット１２は、２つの走査キャリッジが原稿に対して走査されることにより、原稿に光を照射するとともに原稿からの反射光をイメージセンサが設けられた所定位置に導き、該反射光を電気信号に変換するものであり、図１に示すように、プラテンガラス１１と平行に走査されるフルレートキャリッジ１２０及びハーフレートキャリッジ１２１と、スキャナユニット１２２とから構成されている。フルレートキャリッジ１２０は、ガイドレール１８（図３参照）上を移動するキャリッジ本体１２３に、原稿に光を照射するための光源１２４と、原稿からの反射光Ｒを走査方向へ反射してハーフレートキャリッジ１２１へ導くための反射ミラー１２５とが設けられたものであり、ハーフレートキャリッジ１２１は、ガイドレール上を移動するキャリッジ本体１２６に、フルレートキャリッジ１２０からの反射光をスキャナユニット１２２へ導く２枚の反射ミラー１２５が設けられたものである。
【００１６】
また、スキャナユニット１２２は、図に示すように、前記ハーフレートキャリッジ１２１からの反射光Ｒを収束する結像レンズ１２７と、その収束光による光学画像を電気信号である画像データに変換するためのＣＣＤイメージセンサ（光電素子）１２８とを具備してなり、前記結像レンズ１２７の光軸上にＣＣＤイメージセンサ１２８が位置するように調整されて配設されている。
【００１７】
ＦＢＳとして原稿の画像読取を行う際は、前記フルレートキャリッジ１２０が、光源１２４から光を発しながらプラテンガラス１１上の原稿に対して平行に移動することにより、原稿の読取面に光源１２４の光が走査方向に順次照射され、その光の反射光Ｒが反射ミラー１２５によりハーフレートキャリッジ１２１へ反射される。該ハーフレートキャリッジ１２１もフルレートキャリッジ１２０と同時に移動して、フルレートキャリッジ１２０からの反射光Ｒを２枚の反射ミラー１２５で反射してスキャナユニット１２２へ導く。そして、結像レンズ１２７により該反射光ＲがＣＣＤイメージセンサ１２８に修飾されて読み取られ、電気信号として出力される。不図示の記録部又は送信部は該電気信号を受けて原稿の画像を記録用紙に記録し、又は画像をファクシミリ送信する。これら記録部及び送信部は公知且つ任意の構成なので詳細な説明は省略する。一方、ＡＤＦ１を用いて原稿の画像読取を行う際は、前記フルレートキャリッジ１２０がプラテンガラス１２の下方へ移動して、その位置からＡＤＦ１により順次搬送される原稿に対して光源１２４の光を照射して、前述と同様に、原稿からの反射光ＲがＣＣＤイメージセンサ１２８により読み取られる。
【００１８】
一方、不図示のガイドレール１８により夫々摺動可能に担持された前記フルレートキャリッジ１２０及びハーフレートキャリッジ１２１は、その両側に配設された一対のベルト駆動機構１３０により走査されるようになっている。図１には一対のベルト駆動機構１３０の一方が示されているが、該ベルト駆動機構１３０は、駆動プーリ１３１，１３２と従動プーリ１３３，１３４間に夫々巻架されたベルト１３５，１３６が駆動軸１３７の回転により周運動するように構成されたものであり、ベルト１３５にフルレートキャリッジ１２０が、ベルト１３６にハーフレートキャリッジ１２１が夫々固定されている。駆動プーリ１３１，１３２はいずれも駆動軸１３７に固定されており、フルレートキャリッジ１２０及びハーフレートキャリッジ１２１の走査範囲は該駆動プーリ１３１，１３２のギア比により設定されており、フルレートキャリッジ１２０を駆動するための駆動プーリ１３１に対してハーフレートキャリッジ１２１を駆動するため駆動プーリ１３２のギア比が略１／２となっている。これにより、駆動プーリ１３１，１３２に夫々巻架されたベルト１３５，１３６により走査されるフルレートキャリッジ１２０及びハーフレートキャリッジ１２１は、フルレートキャリッジ１２０の走査速度に対して略１／２の速度でハーフレートキャリッジ１２１が走査され、フルレートキャリッジ１２０の走査距離に対してハーフレートキャリッジ１２１の走査距離が半分となる。このように構成されたフルレートキャリッジ１２０及びハーフレートキャリッジ１２１がプラテンガラス１１の下方を該プラテンガラス１１に載置された原稿と平行に移動して原稿の画像をスキャンし、フルレートキャリッジ１２０の光源１２４から原稿に光が照射され、該原稿からの反射光Ｒが反射ミラー１２５に順次反射されてスキャナユニット１２２へ導かれるようになっている。
【００１９】
図２は、前記スキャナユニット１２２の詳細な構成を示す概略斜視図であるが、図に示すように、スキャナユニット１２２は、前記ハーフレートキャリッジ１２１からの反射光Ｒを収束する結像レンズ１２７と、その収束光を電気信号に変換するためのＣＣＤイメージセンサ１２８とを具備してなり、ＣＣＤイメージセンサ１２８が前記結像レンズ１２７の光軸上に位置するように調整されてフレームに固定されている。このように構成されたスキャナユニット１２２により、原稿からの反射光Ｒによる光学画像ＣＣＤイメージセンサ１２８により画像データに変換されて出力されるようになっている。また、ＣＣＤイメージセンサ１２８の裏面側には、ＣＣＤイメージセンサ１２８の制御基板１２９が半田付け等により固定されている。
【００２０】
図３及び図４は、前記読取載置台１０１の筐体１０を構成するシャーシ１３等を示すものであり、該筐体１０はシャーシ１３に樹脂製のカバー（不図示）が適宜取り付けられてなる。シャーシ１３は、図に示すように、４つの側壁部材１４ａ，１４ｂ，１４ｃ，１４ｄが組み付けられてシャーシ１３の外枠を構成するフレーム１４と、該フレーム１４の下側に配設されてシャーシ１３の底を構成するボトムシャーシ１５と、該フレーム１４の所定位置に固定されたスキャナフレーム１６とから構成されている。該スキャナフレーム１６には、前記ＣＣＤ読取ユニット１２を構成するスキャナユニット１２２及びインバータ回路１９が固定され、該スキャナユニット１２２及びインバータ回路１９はカバー１７により覆われている。また、図には示していないが、前記フルレートキャリッジ１２０やハーフレートキャリッジ１２１等のＣＣＤ読取ユニット１２の他の構成部材も、フレーム１４で囲繞されるシャーシ１３内に配設され、該フレーム１４の上部にプラテンガラス１１が配設される。したがって、シャーシ１３は読取載置台１０２の筐体１０の骨組であるとともに、ＣＣＤ読取ユニット１２及びその光路に塵埃が侵入することを防止する役割も果たしている。
【００２１】
このように、シャーシ１３は、フレーム１４とボトムシャーシ１５とスキャナフレーム１６とから構成されるが、ボトムシャーシ１３は、主にシャーシ１３内に塵埃等が侵入することを防止する目的のものであり、フレーム１４が、主に読取載置台１０２の筐体１０の骨組としての役割も果たしている。該ボトムシャーシ１５は、装置の軽量化やコストを考慮して、比較的厚みの薄い板金をプレス加工等して形成されており、読取載置台１０２内に各種部材を取り付けるためのネジ孔等が形成されているが、ボトムシャーシ１５の加工精度は高くないので、高い位置精度が要求されない部材を主に取り付けている。一方、前記ＣＣＤ読取ユニット１２を構成する各種部材のように高い位置精度が要求されるものは、フレーム１４及びスキャナフレーム１６に取り付けられている。フレーム１４を構成する４つの側壁部材１４ａ，１４ｂ，１４ｃ，１４ｄ、及びスキャナフレーム１６は比較的厚みの厚い板金をプレス加工等して形成されており、ボトムシャーシ１５より剛性が高い。また、４つの側壁部材１４ａ，１４ｂ，１４ｃ，１４ｄとスキャナフレーム１６の組付けは、不図示の組付け治具を用いて側壁部材１４ａ，１４ｂ，１４ｃ，１４ｄ及びスキャナフレーム１６を夫々位置決めし、溶接により各側壁部材１４ａ，１４ｂ，１４ｃ，１４ｄとスキャナフレーム１６とを固定している。これにより、フレーム１４に筐体１０の骨組として所望の剛性を確保し、スキャナフレーム１６とともに各種部材の取付位置の精度を保っている。
【００２２】
また、各側壁部材１４ａ，１４ｂ，１４ｃ，１４ｄは板金の上端部が断面Ｌ字状に内側へ曲折されてなるものであり、該上端部でプラテンガラス１１を支持している。また、各側壁部材１４ａ，１４ｂ，１４ｃ，１４ｄは下端部も断面Ｌ字状に内側へ曲折されており該下端部においてボトムシャーシ１５とネジ止めにより連結固定されている。また、読取載置台１０１の後背面側となる側壁部材１４ａ、及び正面側となる側壁部材１４ｂは、所定の高さで、水平方向内側へ略直角に曲折されることにより水平面が形成されており、該水平面が前記ＣＣＤ読取ユニット１２を構成する不図示のフルレートキャリッジ１２０及びハーフレートキャリッジ１２１を摺動可能に担持するガイドレール１８となる。なお、ガイドレール１８には、フルレートキャリッジ１２０及びハーフレートキャリッジ１２１が摺動する際の摩擦を軽減することを目的として樹脂製の摺動テープが貼設される。また、図には詳細に示していないが、各側壁部材１４ａ，１４ｂ，１４ｃ，１４ｄには、ベルト駆動機構１３０の従動プーリ１３３，１３４を支持するための支持ブラケット等の各部材をネジ止め固定するためのネジ孔や、ベルト駆動機構１３０の駆動軸１３７が挿通される軸受孔等が設けられている。このように、ＣＣＤ読取ユニット１２を構成するフルレートキャリッジ１２０、ハーフレートキャリッジ１２１、及びベルト駆動機構１３０は、フレーム１４により位置決めされるものであり、フレーム１４を位置精度を維持できる剛性が必要であり、各側壁部材１４ａ，１４ｂ，１４ｃ，１４ｄの板金の厚みも該剛性を考慮して設定されている。なお、ＣＣＤ読取ユニット１２の各構成部材等を取り付けるためのネジ孔等は読取載置台１０１の構成態様に合わせて適宜設計されるものである。
【００２３】
ボトムシャーシ１５は、略矩形の板金の周縁部を上方に曲折した形状のものであり、前記フレーム１４に固定されてシャーシ１３の底を構成する。シャーシ１３がＣＣＤ読取ユニット１２の各構成部材を支持する位置精度を主として前記フレーム１４により確保されており、ボトムシャーシ１５は主として防塵のために設けられるものであり、前記フレーム１４と同様の剛性は必要でなく、加工が容易な厚みの板金を用いることができる。図４に示すように、ボトムシャーシ１５の前記スキャナフレーム１６に対応する位置には、板金を絞り加工により上方ヘ膨出させた膨出部１５０が形成されている。該膨出部１５０の上面は、スキャナフレーム１６の底面と接触するための接触面１５ａとなる平面であり、該接触面１５０ａの広さはスキャナフレーム１６との導通や底面の広さ等を考慮して設定されており、できるだけ広くなるように設計することが好適である。また、膨出部１５０の接触面１５０ａにはスキャナフレーム１６と緊締するためのネジ孔１５１が適宜穿設されている。また、ボトムシャーシ１５には、配線等を固定するための取付部１５２が適宜形成されているが、これらは位置精度が要求されない部材を取付けるためのものである。
【００２４】
スキャナフレーム１６は、略矩形の板金からなるものであり、剛性を増すために光軸方向の両端部１６０が上方ヘ夫々曲折されている。該スキャナフレーム１６は、前記フレーム１４に固定されて前記スキャナユニット１２２を支持するものであり、図４に示すように、その両端に四隅に嵌合凸部１６１が形成され、該嵌合凸部１６１が側壁部材１４ａ，１４ｂに穿設された嵌合孔１４０に嵌入されて固定される。ＣＣＤ読取ユニット１２を構成するフルレートキャリッジ１２０やハーフレートキャリッジ１２１、スキャナユニット１２２の取付位置は所定の精度が要求されるものであり、これらの位置精度は主にフレーム１４及びスキャナフレーム１６で保たれるので、スキャナフレーム１６も前記フレーム１４と同様の剛性を有するように板金の厚みが設定され、該フレーム１４及びスキャナフレーム１６は組立治具等を用いて所定の位置に位置決めされて組み付けられ、溶接等により固定される。このように構成されたスキャナフレーム１６上の所定位置に、図に示すように、スキャナユニット１２２及びインバータ回路１９がネジ止め等により固定される。また、スキャナフレーム１６には、前記膨出部１５０のネジ孔１５１に対応する位置に、若干径大の貫通孔１６２が穿設されており、更に、図には詳細に示していないが、スキャナユニット１２２及びインバータ回路１９をネジ止めするためのネジ孔も適宜穿設されている。
【００２５】
カバー１７は、前記スキャナフレーム１６に固定されたスキャナユニット１２２を覆うとともにインバータ回路１９の上方を遮蔽するものであり、天井部１７０及び側壁部１７１で一定空間を囲繞する底側が開放された筐体である。カバー１７は導電性部材である板金を曲折加工等で形成されており、矩形の天井部１７０の四方に側壁部１７１が連続して形成され、該天井部１７０及び側壁部１７１で囲繞された空間内に、前記スキャナフレーム１６に固定されたスキャナユニット１２２が非接触で収容されるようになっている。また、ハーフレートキャリッジ１２１からの反射光Ｒが入射する側壁部１７１には開口１７２が形成されており、該開口１７２を通じて反射光Ｒがスキャナユニット１２２の結像レンズ１２７に入射する。また、開口１７２が形成された側壁部１７１の両側に位置する側壁部１７１の下端には固定用鍔部１７３が外側ヘ突設されている。図には詳細に示していないが、該固定用鍔部１７３には位置決め用貫通孔及びネジ孔が穿設されており、該位置決め用貫通孔がスキャナフレーム１６に形成されたダボと嵌合してカバー１７の位置決めがなされ、該ネジ孔とスキャナフレーム１６に形成されたネジ孔と連通するネジにより、固定用鍔部１７３がスキャナフレーム１６と緊締されることにより、スキャナフレーム１６にカバー１７が固定される。これにより、スキャナユニット１２２がシールドされる。
【００２６】
また、前記カバー１７の天井部１２０には、インバータ回路１９の上方を覆うようにして遮蔽板１７４が突設されている。該遮蔽板１７４も導電性部材である板金からなり、カバー１７と一体として形成されている。遮蔽板１７４の大きさはインバータ回路１９の平面視形状より大きいものであり、これにより、スキャナフレーム１６に固定されたインバータ回路１９がシールドされる。また、天井部１２０と遮蔽板１７４との間には所定の間隙Ｃが設けられている。カバー１７をスキャナフレーム１６に固定する際に前記固定用鍔部１７３のネジ止めをカバー１７の上側から行うので、該間隙Ｃはドライバ等の工具を差し入れるために形成されており、図には詳細に示していないが、固定用鍔部１７３に穿設されたネジ孔の位置にあわせて適宜変更可能である。このように、カバー１７に遮蔽板１７４を突設することにより、インバータ回路１９の上方をシールドすることができ、該遮蔽板１７４はカバー１７と一体に形成されているので、スキャナフレーム１６にカバー１７と別に取付けのためのネジ孔等を形成する必要がなく、加工及び組立が容易である。
【００２７】
また、遮蔽板１７４の上面には樹脂製の絶縁シート１７５が貼設されている。一般に、インバータ回路１９は、フルレートキャリッジ１２０の光源１２４である蛍光灯の輝度を安定させるためのものであり、該インバータ回路１９からも電磁波が発生する。したがって、遮蔽板１７４は、該インバータ回路１９から発生した電磁波が他の電子機器、特にフルレートキャリッジ１２０に影響を及ぼすことを防止するためのものである。
【００２８】
図５及び図６に示すように、インバータ回路１９からフルレートキャリッジ１２０の光源１２４への配線は、可撓性のハーネス１９０で行われている。該ハーネス１９０は、導電材をフィルム状のポリイミド樹脂等の絶縁性合成樹脂で被覆された帯状のものであり、一方の接続端がフルレートキャリッジ１２０に固定されて光源１２４等と電気的に接続されており、他方の接続端はボトムシャーシ１５に固定され、図には示していないが、該接続端からインバータ回路１９へ更に配線されている。なお、図６においては、説明の便宜上、シャーシ１４等を一部省略している。
【００２９】
前記ハーネス１９０は、フルレートキャリッジ１２０が走査端まで走査された場合に、ボトムシャーシ１５の固定端から該フルレートキャリッジ１２０までの距離より十分に長くなるように遊びを持たせており、該遊び部分は湾曲された状態となっている。即ち、ハーネス１９０は、フルレートキャリッジ１２０から走査方向に延びて下方へ湾曲するように反転し、走査方向の反対側へ延びてボトムシャーシ１５に固定されている。これにより、フルレートキャリッジ１２０の走査位置に拘わらず、インバータ回路１９とフルレートキャリッジ１２０を導通している。
【００３０】
なお、ハーネス１９０は、遊び部分がフルレートキャリッジ１２０の走査に従動するような可撓性を有するものであれば、本実施の形態にように帯状且つ一体のものとする必要はないが、遊び部分が下方へ垂れ下がってしまったり、撚れて絡まらない程度の適度の弾力を有するものが好適である。また、ハーネス１９０には、インバータ回路１９と光源１２４との導通の他、電力供給や、制御信号及び画像信号の送受信を行うケーブル等をも含めることができ、ボトムシャーシ１５側の接続端を、電源や各信号の送受信を行うための制御部等にも接続してよいことは勿論である。
【００３１】
ハーネス１９０のボトムシャーシ１５側の接続端とインバータ回路１９までの配線も、高電圧であるため短い方が好ましい。したがって、本実施の形態にようにインバータ回路１９はスキャナユニット１２２の近傍に配置される。また、インバータ回路１９からも電磁波が発生するので、一般に、インバータ回路１９は、前記ハーネス１９０がフルレートキャリッジ１２０の走査により通過する位置と別の位置に配置するが、図５に示すように、スキャナユニット１２２のＣＣＤイメージセンサ１２８や制御基板１２９が、カラー画像読取や高画質化に伴って大きくなり、スキャナユニット１２２とハーネス１９０の通過位置（図斜線範囲）との間にインバータ回路１９を設置するスペースがない。したがって、インバータ回路１９とハーネス１９０の通過位置を別位置とするにはフレーム１４を大きくせざるを得ないが、その結果、読取載置台１０１が大きくなって装置自体が大型化する。これを避けるために、インバータ回路１９をハーネス１９０の通過位置と重なる位置に配置するとともに、前記遮蔽板１７４によりインバータ回路１９から発生する電磁波をシールドし、更に、ハーネス１９０が導電性部材からなる遮蔽板１７４に接触して漏電することを防止すべく、遮蔽板１７４の上面に絶縁シート１７５を貼設している。これにより、スキャナユニット１２２が大型化しても画像読取装置を大型化することなくインバータ回路１９を配設することができる。
【００３２】
以下、カバー１７とスキャナフレーム１６との導通、及びスキャナフレーム１６とボトムシャーシ１５との導通について説明する。
前述したように、カバー１７はスキャナユニット１２２及びインバータ回路１９をシールドするものなので接地する必要があり、本コピー・ファクシミリ複合機１００では、スキャナフレーム１６からフレーム１４及びボトムシャーシ１５を通じてカバー１７を接地している。
【００３３】
図３に示すように、スキャナフレーム１６に固定されたカバー１７は、開口１７２が形成された側壁部１７１及びそれと対面する側壁部１７１の下端が接触板としてスキャナフレーム１６の端部１６０と接触し、固定用鍔部１７３が接触板としてスキャナフレーム１６の上面と接触する。詳細には、夫々接触板としてスキャナフレーム１６と接触する側壁部１７１の下端及び固定用鍔部１７３には、短冊状の接片１７６が列設されている。該接片１７６は、図４及び図７に夫々示すように、側壁部１７１の下端から鉛直方向へ、又は固定用鍔部１７３の側端から水平方向に所定間隔で切欠きが設けられるにより形成されており、夫々鉛直方向又は水平方向に所定幅の接片１７６が列設している。接片１７６の幅は、接片１７６がスキャナフレーム１６との接離方向へ弾性可能であって、カバー１７をネジ止めした際に接片１７６による反力が過剰な浮き上がり力とならないように設定されるものであり、接片１７６の幅を狭くすることにより該反力を小さくすることができる。
【００３４】
また、各接片１７６には、接触面をスキャナフレーム１６側へ膨出した湾曲部１７７が夫々形成されている。該湾曲部１７７は、接片１７６が列設された側壁部１７１の表面又は固定用鍔部１７３の底面よりスキャナフレーム１６側へ膨出しているので、図７に示すように、カバー１７をスキャナフレーム１６に取り付けた際に、カバー１７の歪みや組付け誤差により該カバー１７とスキャナフレーム１６との間に若干の隙間ｄが生じたとしても、該湾曲部１７７が確実にスキャナフレーム１６と接触して導通状態となる。また、カバー１７をスキャナフレーム１６にネジ止めすることにより、各接片１７６はスキャナフレーム１６から離れる方向へ弾性変形し、該弾性力は各接片１７６の幅により調整されているので、カバー１７に過剰な反力が生じず、且つ、経時的にカバー１７に歪みや取付けに緩み等が生じて前記隙間ｄが変化しても、接片１７６の弾性力により該変化に接片１７６が追従して、湾曲部１７７とスキャナフレーム１６との接触が維持される。このようにして、りん青銅からなる板バネ等の別部材を設けることなく、簡単な構成でカバー１７とスキャナフレーム１６とを確実に導通させることができる。
【００３５】
なお、接片１７６を弾性変形させて湾曲部１７７を常にスキャナフレーム１６へ付勢して接触を維持する観点から、カバー１７がスキャナフレーム１６にネジ止めされることにより緊締される固定用鍔部１７３に接片１７６を形成することが好ましいが、加工の容易や更に接触部分を増やす等を目的として側壁部１７１の下端等に形成することも可能であり、スキャナフレーム１６と接触を取れる部分であれば接片１７６を形成する部位は限定されない。
【００３６】
図８は、スキャナフレーム１６とボトムシャーシ１５と接触状態を示すものであり、説明の便宜上、スキャナユニット１２２等は省略している。前述したように、スキャナフレーム１６はフレーム１４に組み付けられるが、これらは剛性が要求され、また、組付け位置の精度も要求されるので、スキャナフレーム１６の四隅をフレーム１４に嵌合しており、組付け個所が限定的となっている。その結果、スキャナフレーム１６とフレーム１４との接触面積が少なく、接地に十分な導通がとれない。一方、ボトムシャーシ１５はスキャナフレーム１６ほど剛性を必要とせず、比較的加工が容易であるので、該ボトムシャーシ１５に膨出部１５０を形成し、該膨出部１５０の接触面１５０ａをスキャナフレーム１６の底面と接触させて十分な導通を確保している。また、スキャナフレーム１６には、該膨出部１５０のネジ孔１５１に対応する位置に若干径大の貫通孔１６２が穿設されており、該貫通孔１６２を通じてネジ孔１５１にネジ（固着具）１６３が螺合されることによりスキャナフレーム１６と膨出部１５０とが緊締されているので、ボトムシャーシ１５に歪みや組付け誤差があって、スキャナフレーム１６と膨出部１５０の当接が不十分な場合にも、ネジ１６３で両部材を緊締することにより確実に膨出部１５０の接触面１５０ａをスキャナフレーム１６の底面に接触させることができる。また、ボトムシャーシ１５に経時的に歪みが生じた場合にもスキャナフレーム１６の底面と膨出部１５０の接触面１５０ａとが離れることがない。このようにして、カバー１７とスキャナフレーム１６、及びスキャナフレーム１６とボトムシャーシ１５の導通を確実且つ十分にとってカバー１７を接地し、該カバー１７でスキャナユニット１２２及びインバータ回路１９をシールドすることができる。
【００３７】
なお、本実施の形態ではボトムシャーシ１５に１つの膨出部１５０を形成したが、膨出部の形状や個数はこれに限定されるものではなく、スキャナフレームに形状やシャーシ１３の形状、他の構成部材の組付け等を考慮して、複数に分割して形成することもできる。また、膨出部は、絞り加工による板金を膨出させたものに限定されるものではなく、例えば板金を切り起こして膨出部とすることも可能であるが、ボトムシャーシ１５による防塵を確実なものとするには、板金に穴が生じない絞り加工によるものが好適である。また、本実施の形態で示したコピー・ファクシミリ複合機１００の構成は、本発明に係る画像読取装置の一態様にすぎず、本発明の要旨を逸脱しない範囲内で適宜設計変更できることは勿論である。
【産業上の利用可能性】
【００３８】
本発明に係る画像読取装置は、スキャナ、ファクシミリ、複写機等において、光電素子を用いたスキャナユニットを有する画像読取装置として利用できる。
【図面の簡単な説明】
【００３９】
【図１】本発明の実施の形態に係るコピー・ファクシミリ複合機１００の上部の概略構成を示す断面図である。
【図２】スキャナユニット１２２の構成を示す概略斜視図である。
【図３】シャーシ１３、カバー１７の構成を示す斜視図である。
【図４】シャーシ１３、カバー１７の構成を示す分解斜視図である。
【図５】インバータ回路１９の配置を示す平面図である。
【図６】インバータ回路１９からフルレートキャリッジ１２０への配線を説明するための断面図である。
【図７】（ａ）は、固定用鍔部１７３に形成された接片１７６とスキャナフレーム１６との接触状態を示す拡大断面図であり、（ｂ）は、側壁部１７１に形成された接片１７６とスキャナフレーム１６の端部１６０との接触状態を示す拡大断面図である。
【図８】スキャナフレーム１６とボトムシャーシ１５との接触状態を示す断面図である。
【図９】従来のコピー・ファクシミリ複合機９００の上部の構成を示す概略斜視図である。
【図１０】読取載置台９０２内の読取ユニットの概略構造を示す断面図である。
【符号の説明】
【００４０】
１３  シャーシ
１４  フレーム
１５  ボトムシャーシ
１６  スキャナフレーム
１７  カバー
１００  コピー・ファクシミリ複合機（画像読取装置）
１０１  読取載置台（装置本体）
１２２  スキャナユニット
１２８  ＣＣＤイメージセンサ（光電素子）
１５０  膨出部
１６３  ネジ（固着具）
【図１】
2005173098.tif 000003
【図２】
2005173098.tif 000004
【図３】
2005173098.tif 000005
【図４】
2005173098.tif 000006
【図５】
2005173098.tif 000007
【図６】
2005173098.tif 000008
【図７】
2005173098.tif 000009
【図８】
2005173098.tif 000010
【図９】
2005173098.tif 000011
【図１０】
2005173098.tif 000012